(57)【要約】【課題】  防水機能および電磁シールド機能を確保し、部品点数を減少させるとともに、コンパクト化できる電磁波シールドコネクタを提供する。【解決手段】  複数の電線１１が引き出される筒状の電線引き出し部３１と、複数の電線１１の先端の接続部２１が突出する端子引き出し部３２とを内部に含む金属製のシールドシェルを設け、電線引き出し部３１に電線１１を挿通させ、端子引き出し部３２から接続部２１を突出させた状態で、シールドシェル３０を型にして内部を樹脂５により一括モールド成型する。このため、従来のようにシールドシェルを上下から挟むようにして取り付ける必要がなく、部品点数を減少させるとともに、無駄な空間を無くしてコンパクト化を図ることができる。また、防水機能を確保できる。なお、シールドシェルは、例えばアルミニウムで製作できる。【選択図】  図１
2005235424.tif 000002
【特許請求の範囲】
【請求項１】
複数の電線と、前記複数の電線の先端の接続部と、前記複数の電線および前記接続部を収容するコネクタハウジングと、前記コネクタハウジングに組み付けられる金属製のシールドシェルとを有し、かつ、機器の壁部に直付けされる電磁波シールドコネクタであって、
前記シールドシェルは、前記複数の電線が引き出される筒状の電線引き出し部と、前記接続部が突出する端子引き出し部を備え、前記電線引き出し部に前記複数の電線を挿通させるとともに、前記端子引き出し部から前記接続部を引き出した状態で一括モールド成型し前記コネクタハウジングを形成することを特徴とする電磁波シールドコネクタ。
【請求項２】
前記電線引き出し部の外周面には、編組を前記シールドシェルに加締めるためのシェルリングが組み付けられていることを特徴とする請求項１に記載した電磁波シールドコネクタ。
【請求項３】
前記端子引き出し部は前記機器側の雌端子に向かって開口するとともに前記接続部は該雌端子と接続可能であり、かつ、前記端子引き出し部と前記機器との間には前記接続部を密閉するためのパッキンが設けられていることを特徴とする請求項１に記載した電磁波シールドコネクタ。
【請求項４】
前記シールドシェルに、当該シールドシェルを前記機器の壁部に取り付けるための取付部が設けられていることを特徴とする請求項１に記載した電磁波シールドコネクタ。
【発明の詳細な説明】
【技術分野】
【０００１】
本発明は、複数の電線の先端に取り付けられ、機器の壁部に直付けされる電磁波シールドコネクタに関する。
【背景技術】
【０００２】
従来より、電線の先端に取り付けられる電磁波シールドコネクタが開示されている（例えば特許文献１参照）。
図１０に示すように、この電磁波シールドコネクタ１００では、電線１０１の先端において、絶縁被覆(シース)１０２が皮剥きされ、金属製の網電線(シールド編組)１０３がシース１０２側に折り返される一方、端末からは芯線１０４が延長されている。
折り返されたシールド編組１０３の外周には金属製の圧接子１１０が加締められており、挟入片１１０ｂをシールド編組１０３と芯線１０４との間に挟入した状態で外筒部１１０ａがシールド編組１０３の外周に加締められている。電線１０１の先端部分は筒状のグロメット１１１に挿入され、電線１０１の外周面に密着して防水を図っている。
グロメット１１１の内周溝１１１ａには圧接子１１０のフレア部１１０ｃが嵌合されている。グロメット１１１の外側には、金属製の箱状をしたシールドカバー１１２が被せられており、シールド編組１０３が剥かれて接続されているコネクタ部１１３を電磁波からシールドしている。
【特許文献１】特開平７−１９３９６６号公報（図１）
【発明の開示】
【発明が解決しようとする課題】
【０００３】
ところで、前述したような電磁波シールドコネクタ１００においては、金属性のシールドカバー１１２は、上下に分かれてコネクタ部１１３の樹脂製のハウジングの外側に別個に設けられている。
このため、部品点数が多くなるとともに、組付け工数が多いという不都合があった。
【０００４】
本発明は、前述した問題点に鑑みてなされたものであり、その目的は、防水機能および電磁シールド機能を確保し、部品点数を減少させるとともに、コンパクト化できる電磁波シールドコネクタを提供することにある。
【課題を解決するための手段】
【０００５】
１）前述した目的を達成するために、本発明にかかる電磁波シールドコネクタは、複数の電線と、前記複数の電線の先端の接続部と、前記複数の電線および前記接続部を収容するコネクタハウジングと、前記コネクタハウジングに組み付けられる金属製のシールドシェルとを有し、かつ、機器の壁部に直付けされる電磁波シールドコネクタであって、前記シールドシェルは、前記複数の電線が引き出される筒状の電線引き出し部と、前記接続部が突出する端子引き出し部を備え、前記電線引き出し部に前記複数の電線を挿通させるとともに、前記端子引き出し部から前記接続部を引き出した状態で一括モールド成型し前記コネクタハウジングを形成することを特徴としている。
【０００６】
このように構成された電磁波シールドコネクタにおいては、複数の電線が引き出される筒状の電線引き出し部と、複数の電線の先端の接続部が突出する端子引き出し部とを内部に含む金属製のシールドシェルを設け、電線引き出し部に電線を挿通させ、端子引き出し部から接続部を突出させた状態で、シールドシェルを型にして内部を樹脂により一括モールド成型する。
このため、従来のようにシールドシェルを上下から挟むようにして取り付ける必要がなく、部品点数を減少させるとともに、無駄な空間を無くしてコンパクト化を図ることができる。また、一括モールド成型により、防水機能を確保できる。
なお、シールドシェルは、例えばアルミニウム等の金属で製作できる。
【０００７】
２）また、本発明にかかる電磁波シールドコネクタは、前記電線引き出し部の外周面には、編組を前記シールドシェルに加締めるためのシェルリングが組み付けられることを特徴としている。
【０００８】
このように構成された電磁波シールドコネクタにおいては、編組をシールドシェルの外周面に被せて、シェルリングにより加締めるので、確実に編組をシールドシェルに取り付けることができる。
これにより、電線がシールドシェルから脱落するのを防止できる。
【０００９】
３）また、前記端子引き出し部は前記機器側の雌端子に向かって開口するとともに前記接続部は該雌端子と接続可能であり、かつ、前記端子引き出し部と前記機器との間には前記接続部を密閉するためのパッキンが設けられていることを特徴としている。
【００１０】
このように構成された電磁波シールドコネクタにおいては、電磁波シールドコネクタの接続部と機器側の雌端子との接続箇所をパッキンによって密封するので、防水機能を確保できる。
【００１１】
４）また、前記シールドシェルに、当該シールドシェルを前記機器の壁部に取り付けるための取付部が設けられていることを特徴としている。
【００１２】
このように構成された電磁波シールドコネクタにおいては、取付部を介してシールドシェルを機器の壁部に確実に取り付けることができる。
これにより、電磁波を遮断するとともに防水性を確保できる。
【発明の効果】
【００１３】
本発明によれば、防水機能および電磁シールド機能を確保し、部品点数を減少させるとともに、コンパクト化できる。
【発明を実施するための最良の形態】
【００１４】
以下、本発明に係る実施形態を図面に基づいて詳細に説明する。図１は本発明の電磁波シールドコネクタに係る実施形態を上方から見た斜視図、図２は電磁波シールドコネクタを下方から見た斜視図、図３はシールドシェルを上方から見た斜視図、図４はシールドシェルを下方から見た斜視図、図５は電磁シールドコネクタの先端および取付部を示す断面図、図６は図５中VI部分の拡大断面図、図７は図５中VII部分の拡大断面図、図８は雌コネクタの斜視図、図９は電磁波シールドコネクタをモータに取り付けた状態を示す斜視図である。
【００１５】
図１および図２に示すように、本発明の実施形態にかかる電磁波シールドコネクタ１０は、複数本の電線１１と、この複数本の電線１１の先端の接続部としての雄端子２１と、複数の電線１１および雄端子２１を収容するコネクタハウジング２０と、このコネクタハウジング２０に組み付けられる例えばアルミニウムのような金属製のシールドシェル３０とを有している。
なお、ここでは、最外層に編組１１ｂを有する電線１１を用いた場合について説明する。
【００１６】
図３および図４に示すように、シールドシェル３０は、薄型の略矩形の箱状をしており、基端側(図３および図４において左上側)が開口して複数の電線１１が引き出される筒状の電線引き出し部３１を有している。
また、先端側(図３および図４において右下側)は下面(図４において手前側)が開口しており、接続部としての雄端子２１(図２参照)が突出する端子引き出し部３２を備えている。また、シールドシェル３０の左右両側面３０ａ、３０ｂには、シールドシェル３０を機器である例えばモータ４０(図９参照)の壁部４１に取り付けるための取付部である取付ブラケット３３が設けられている。
【００１７】
図１、図２および図５に示すように、シールドシェル３０の電線引き出し部３１に、先端の芯線１１ａが露出されている電線１１を挿通させ、この芯線１１ａに雄端子２１を接続する。
そして、雄端子２１の先端部２１ａを端子引き出し部３２から突出させた状態で、例えばＳＰＳ樹脂のような樹脂２３により一括モールド成型してコネクタハウジング２０を形成している。
【００１８】
シールドシェル３０の端子引き出し部３２側では、端子引き出し部３２の下方に突出して雄端子２１を内包しているコネクタハウジング２０の先端部２０ａが一括被覆により設けられており、先端部２０ａの外周面にはパッキン２２が設けられている。
これにより、電磁波シールドコネクタ１０をモータ４０の壁部４１に取り付けた際に、コネクタハウジング２０の先端部２０ａと壁部４１との間を密封して防水を図っている。
【００１９】
図５および図７に示すように、電線１１の先端では芯線１１ａが露出され、この芯線１１ａ下側に細板状の雄端子２１の後端部２１ｂが接続されている。
雄端子２１はシールドシェル３０内部で前方（図７において右方）に延びた後、図６に示すように、下方に直角に曲げられて、先端部２１ａがシールドシェル３０の端子引き出し部３２から下方に突出している。
【００２０】
図６に示すように、モータ４０の壁部４１内部には雌コネクタ４２が嵌め込まれており、壁部４１と雌コネクタ４２のハウジング先端部４２ａとの間には、電磁波シールドコネクタ１０の長円形状のコネクタハウジング先端部２０ａが嵌入される雄コネクタ挿入溝４１ａが形成されている。
雌コネクタ４２のハウジング先端部４２ａの下側にはパッキン４４が嵌められており、壁部４１に密着している。
【００２１】
図８に示すように、雌コネクタ４２は、電磁波シールドコネクタ１０のコネクタハウジング先端部２０ａの内側に嵌合する先端部４２ａを有しており、この先端部４２ａの上面には雄端子２１が挿入される端子挿入穴４２ｂが設けられている。
図６に示すように、挿入穴４２ｂの内部には、雄端子２１に接触して電気的に接続するための雌端子４３が設けられており、雌端子４３の下端部４３ａは、図８に示すように、モータ４０の内部に露出している。
【００２２】
従って、コネクタハウジング２０の先端部２０ａを雄コネクタ挿入溝４１ａに嵌入させ、雄端子２１を端子挿入穴４２ｂに挿入すると、図６に示すように、雄端子２１の先端部２１ａは雌端子４３に接触して電気的に接続される。
このとき、コネクタハウジング２０の先端部２０ａに設けられているパッキン２２が雄コネクタ挿入溝４１ａの外壁面に密着して、防水性を保持している。
【００２３】
一方、シールドシェル３０の電線引き出し部３１側では、図７に示すように、電線１１の先端部において最外層に設けられている編組１１ｂを外側に剥き、内部を電線引き出し部３１からシールドシェル３０に挿入する。
そして、芯線１１ａの先端を雄端子２１の後端部２１ｂに接続して、電線１１およびシールドシェル３０を樹脂２３で一体成型する。その後、編組１１ｂを、シールドシェル３０の後方からシールドシェル３０の外側面に被せ、シェルリング３４により編組１１ｃをシールドシェル３０に加締める。
これにより、編組１１ｂを確実にシールドシェル３０に取り付けることができる。
【００２４】
このようにして作成された電磁波シールドコネクタ１０をモータ４０に取り付けるには、図９に示されるように、コネクタハウジング先端部２０ａをモータ４０に設けられている雄コネクタ挿入溝４１に嵌め込んで雄端子２１と雌端子４３を接続し、シールドシェル３０に設けられている取付ブラケット３３を、ボルト３５によりモータ４０の取付部４５に締め付ける。
【００２５】
以上、前述した電磁波シールドコネクタ１０によれば、電線引き出し部３１に電線１１を挿通させ、端子引き出し部３２から雄端子２１の先端部２１ａを突出させた状態で、シールドシェル３０を型にして内部を樹脂２３により一括モールド成型する。このため、従来のようにシールドシェルを上下から挟むようにして取り付ける必要がなく、部品点数を減少させるとともに、無駄な空間を無くしてコンパクト化を図ることができる。また、防水機能を確保できる。
また、電線１１の編組１１ｂを電線引き出し部３１の外周面に被せてシェルリング３４により加締めているので、編組１１ｂをシールドシェル３０に確実に取り付けることができ、より確実に電磁波を遮断できる。
【００２６】
なお、本発明の電磁波シールドコネクタは、前述した実施形態に限定されるものでなく、適宜な変形，改良等が可能である。
すなわち、前述した実施形態においては、電線１１として最外層に編組１１ｂを有する場合について説明したが、編組１１ｂの外側にシースを有する場合にも同様に適用できる。
【図面の簡単な説明】
【００２７】
【図１】本発明の電磁波シールドコネクタに係る実施形態を上方から見た斜視図である。
【図２】電磁波シールドコネクタを下方から見た斜視図である。
【図３】シールドシェルを上方から見た斜視図である。
【図４】シールドシェルを下方から見た斜視図である。
【図５】電磁シールドコネクタの先端および取付部を示す断面図である。
【図６】図５中VI部分の拡大断面図である。
【図７】図５中VII部分の拡大断面図である。
【図８】雌コネクタの斜視図である。
【図９】電磁波シールドコネクタをモータに取り付けた状態を示す斜視図である。
【図１０】従来の電磁波シールドコネクタを示す断面図である。
【符号の説明】
【００２８】
１０  電磁波シールドコネクタ
１１  電線
１１ｂ  編組
２０  コネクタハウジング
２１  雄端子（接続部）
２２  パッキン
３０  シールドシェル
３１  電線引き出し部
３２  端子引き出し部
３３  取付ブラケット（取付部）
３４  シェルリング
４０  モータ（機器）
４１  壁部
４３  雌端子
【図１】
2005235424.tif 000003
【図２】
2005235424.tif 000004
【図３】
2005235424.tif 000005
【図４】
2005235424.tif 000006
【図５】
2005235424.tif 000007
【図６】
2005235424.tif 000008
【図７】
2005235424.tif 000009
【図８】
2005235424.tif 000010
【図９】
2005235424.tif 000011
【図１０】
2005235424.tif 000012